(57)【特許請求の範囲】
【請求項１】
置き忘れを通知する置き忘れ通知装置であって、
自装置に対する操作の履歴を操作履歴情報として記録する操作履歴情報記録手段と、
前記操作履歴情報記録手段を参照し、当該操作履歴情報が更新されているか否かを判定する更新有無判定手段と、
前記更新有無判定手段によって、前記操作履歴情報が所定時間更新されていないと判定された場合に、利用者の連絡先となる端末装置に置き忘れた旨の情報を通知する置き忘れ通知手段と、
を備え、更に、
前記更新有無判定手段によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として、前記置き忘れ通知手段に通知する置き忘れ位置検出手段を備え、
前記置き忘れ通知手段は、前記置き忘れられた位置を前記利用者の連絡先となる端末装置に通知することを特徴とする置き忘れ通知装置。
【請求項２】
置き忘れを通知する置き忘れ通知装置が行う置き忘れ通知方法であって、
自装置に対する操作の履歴を操作履歴情報として記録する操作履歴情報記録手段を参照し、当該操作履歴情報が更新されているか否かを判定する更新有無判定工程と、
前記更新有無判定手段によって、前記操作履歴情報が所定時間更新されていないと判定された場合に、利用者の連絡先となる端末装置に置き忘れた旨の情報を通知する置き忘れ通知工程と、
を含み、更に、
前記更新有無判定工程によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として検出する置き忘れ位置検出工程を含み、
前記置き忘れ通知工程は、前記置き忘れ位置検出工程により検出された前記置き忘れられた位置を前記利用者の連絡先となる端末装置に通知することを特徴とする置き忘れ通知方法。
【請求項３】
置き忘れを通知する処理をコンピュータに実行させる置き忘れ通知プログラムであって、
自装置に対する操作の履歴を操作履歴情報として記録する操作履歴情報記録手段を参照し、当該操作履歴情報が更新されているか否かを判定する更新有無判定手順と、
前記更新有無判定手順によって、前記操作履歴情報が所定時間更新されていないと判定された場合に、利用者の連絡先となる端末装置に置き忘れた旨の情報を通知する置き忘れ通知手順と、
をコンピュータに実行させ、更に、
前記更新有無判定手順によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として検出する置き忘れ位置検出手順をコンピュータに実行させ、
前記置き忘れ通知手順は、前記置き忘れ位置検出手順により置き忘れられた位置を前記利用者の連絡先となる端末装置に通知することを特徴とする置き忘れ通知プログラム。
【発明の詳細な説明】
【技術分野】
【０００１】
この発明は、置き忘れを通知する置き忘れ通知装置、置き忘れ通知方法および置き忘れ通知プログラムに関し、特に、携帯端末装置の基本機能を使用して、利用者による携帯端末装置の置き忘れを防止することができる置き忘れ通知装置、置き忘れ通知方法および置き忘れ通知プログラムに関するものである。
【背景技術】
【０００２】
近年、携帯電話が広く普及し、多くの利用者が携帯電話を携帯し、使用している。しかし、利用者が携帯電話を携帯する場合、常に、置き忘れあるいは置き忘れた携帯電話を悪意のある第三者によって不正使用される危険性がある。
【０００３】
そこで、携帯電話の置き忘れを防止するために、無線ＩＣ（Integrated Circuit）タグを用いて、利用者と携帯電話との距離が一定距離以上はなれるとアラーム通知を行う方法や、利用者によって常時付帯される通信機器と携帯電話との間で定期通信することによって、携帯電話の紛失時を判定する方法などが考案されている。
【０００４】
また、利用者が携帯電話を紛失してしまった場合には、紛失した携帯電話に対して遠隔操作を行い、携帯電話の操作をロックすることで、悪意のある第三者によって、携帯電話が不正に使用されることを防止している。
【０００５】
また、特許文献１では、ＧＰＳ（Global Positioning System）機能などを用いて携帯電話の状態が静止状態か移動状態かを認識する共に、静止状態の時間を計測し、静止状態の時間が所定時間を上回った場合に、利用者によって携帯電話が置き忘れられたと判定するという技術が公開されている。
【０００６】
【特許文献１】特開平５−１３４９０４号公報
【発明の開示】
【発明が解決しようとする課題】
【０００７】
しかしながら、上述した従来技術では、携帯電話の置き忘れを防止するために、利用者が携帯電話と対になる通信機器あるいは無線ＩＣタグなどを常時付帯する必要があり、利用者に対して大変使い勝手が悪いという問題があった。
【０００８】
また、特許文献１に記載されているように、携帯電話の状態（移動状態あるいは静止状態）を認識し、携帯電話の置き忘れを判定する方法も考えられるが、携帯電話の状態を認識するために用いられるＧＰＳ機能は一部の携帯電話にしか普及していないため、特許文献１に記載された手法は、一般的な携帯電話に対して適用させることができないという問題があった。
【０００９】
すなわち、携帯電話と対になる通信機器や無線ＩＣタグなどを用いることなく、携帯電話の基本機能を使用して、携帯電話の置き忘れを防止することが極めて重要な課題となっている。
【００１０】
この発明は、上述した従来技術による問題点を解消するためになされたものであり、携帯電話と対になる通信機器や無線ＩＣタグなどを用いることなく、携帯電話の基本機能を使用して、携帯電話の置き忘れを防止することができる置き忘れ通知装置、置き忘れ通知方法および置き忘れ通知プログラムを提供することを目的とする。
【課題を解決するための手段】
【００１１】
上述した課題を解決し、目的を達成するため、本発明は、置き忘れを通知する置き忘れ通知装置であって、自装置に対する操作の履歴を操作履歴情報として記録する操作履歴情報記録手段と、前記操作履歴情報記録手段を参照し、当該操作履歴情報が更新されているか否かを判定する更新有無判定手段と、前記更新有無判定手段によって、前記操作履歴情報が所定時間更新されていないと判定された場合に、利用者の連絡先となる端末装置に置き忘れた旨の情報を通知する置き忘れ通知手段と、を備え、更に、前記更新有無判定手段によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として、前記置き忘れ通知手段に通知する置き忘れ位置検出手段を備え、前記置き忘れ通知手段は、前記置き忘れられた位置を前記利用者の連絡先となる端末装置に通知することを特徴とする。
【００１４】
また、本発明は、置き忘れを通知する置き忘れ通知装置が行う置き忘れ通知方法であって、自装置に対する操作の履歴を操作履歴情報として記録する操作履歴情報記録手段を参照し、当該操作履歴情報が更新されているか否かを判定する更新有無判定工程と、前記更新有無判定手段によって、前記操作履歴情報が所定時間更新されていないと判定された場合に、利用者の連絡先となる端末装置に置き忘れた旨の情報を通知する置き忘れ通知工程と、を含み、更に、前記更新有無判定工程によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として検出する置き忘れ位置検出工程を含み、前記置き忘れ通知工程は、前記置き忘れ位置検出工程により検出された前記置き忘れられた位置を前記利用者の連絡先となる端末装置に通知することを特徴とする。
【００１５】
また、本発明は、置き忘れを通知する処理をコンピュータに実行させる置き忘れ通知プログラムであって、自装置に対する操作の履歴を操作履歴情報として記録する操作履歴情報記録手段を参照し、当該操作履歴情報が更新されているか否かを判定する更新有無判定手順と、前記更新有無判定手順によって、前記操作履歴情報が所定時間更新されていないと判定された場合に、利用者の連絡先となる端末装置に置き忘れた旨の情報を通知する置き忘れ通知手順と、をコンピュータに実行させ、更に、前記更新有無判定手順によって、前記操作履歴情報が所定時間更新されていないと判定された場合に、登録先の端末装置に電話発信を行って自装置周辺の音を取得し、当該自装置周辺の音に前記登録先の端末装置の着信音が含まれていた場合に、当該端末装置の位置を自装置が置き忘れられた位置として検出する置き忘れ位置検出手順をコンピュータに実行させ、前記置き忘れ通知手順は、前記置き忘れ位置検出手順により置き忘れられた位置を前記利用者の連絡先となる端末装置に通知することを特徴とする。
【発明の効果】
【００１６】
本発明によれば、自装置（置き忘れ通知装置）に対する操作の履歴を操作履歴情報として記録し、所定時間ごとにこの操作履歴情報が更新されているか否かを判定し、操作履歴情報が更新されていない場合に、利用者の連絡先となる端末装置に置き忘れた旨の情報を通知するので、自装置と対になる通信機器を利用者が付帯しない場合でも、利用者に自装置を置き忘れた旨の情報を通知することができる。
【００１７】
また、本発明によれば、操作履歴情報が更新されていない場合に、登録先の端末装置に電話発信を行うと共に、自装置周辺の音を取得し、取得した音に着信音が含まれるか否かを判定し、着信音が含まれる場合に、この端末装置の位置を自装置が置き忘れられた位置として、利用者の連絡先となる端末装置に通知するので、特殊な機能を有しない一般的な装置（例えば、携帯電話など）であっても、置き忘れられた位置を検出することができる。
【００１８】
また、本発明によれば、操作履歴情報が更新されていないと判定された後に、自装置に送信された情報を、登録先の端末装置に転送するので、置き忘れ時における利用者の不便性を軽減させることができる。
【００１９】
また、本発明によれば、操作履歴情報が更新されていないと判定された場合に、自装置周辺の音を取得し、取得した音の情報を利用者の連絡先となる端末装置に出力するので、利用者の聞き覚えのある音であれば、利用者に自装置の位置を知らせることができる。
【００２０】
また、本発明によれば、操作履歴情報が更新されておらず、かつ自装置が移動していない場合に、自装置が置き忘れられたと判定するので、置き忘れにかかる判定精度を向上させることができる。
【発明を実施するための最良の形態】
【００２１】
以下に添付図面を参照して、この発明に係る置き忘れ通知装置、置き忘れ通知方法および置き忘れ通知プログラムの好適な実施の形態を詳細に説明する。
【実施例１】
【００２２】
まず、本発明の概要について説明する。図１は、本発明の概要を説明するための説明図である。同図に示すように、携帯電話等の携帯端末装置１００は、利用者による操作の履歴情報（例えば、電話発信、電話着信応答、メール発信、メール受信などの操作イベントにかかる履歴情報；以下、操作履歴情報と表記する）を記録し、一定時間の周期毎にこの操作履歴情報が更新されているか（あるいは、新たな情報が操作履歴情報に追加されているか）否かを判定する。そして、操作履歴情報が更新されていないと判定した場合に、携帯端末装置１００は、利用者が予め登録しておいた連絡先の端末装置に置き忘れた旨を通知する。
【００２３】
また、携帯端末装置１００が、置き忘れられた位置を検出する場合には、予め利用者に登録された電話機（例えば、自宅や会社など、利用者が置き忘れそうな場所に設置された電話機；図１の場合では固定電話機１０）に対する電話発信を行うと共に、携帯端末装置１００のマイクをオンにして携帯端末装置１００周辺の音を取得し、取得した音に固定電話機１０の着信音が含まれているか否かを判定する。そして、固定電話機１０の着信音が含まれている場合には、固定電話機１０の設置位置を携帯端末装置１００の位置として、連絡先となる端末装置に携帯端末装置１００の位置を通知する。
【００２４】
このように、本発明では、携帯端末装置１００の基本機能を使用して、携帯端末装置１００の置き忘れや、携帯端末装置１００の位置を検出して利用者に通知するので、広く普及している一般的な携帯端末装置にも容易に適用させることができる。また、携帯端末装置と対になる通信機器あるいは無線ＩＣタグを利用者が常時付帯しなくとも置き忘れを検出することができるので、利用者の携帯端末装置１００に対する使い勝手の悪さを改善することができる。
【００２５】
次に、本実施例１にかかる携帯端末装置の構成について説明する。図２は、本実施例１にかかる携帯端末装置の構成を示す機能ブロック図である。同図に示すように、この携帯端末装置１００は、ディスプレイ１１０と、入力装置１２０と、スピーカ１３０と、復調器１３５と、マイク１４０と、変調器１４５と、入出力制御ＩＦ（Interface）部１５０と、無線通信制御ＩＦ（Interface）部１６０と、記憶部１７０と、制御部１８０とを備えて構成される。
【００２６】
このうち、ディスプレイ１１０は、各種の情報を表示する表示装置であり、例えば、利用者が予め登録したアドレスの情報、メールの情報などを表示させる。入力装置１２０は、各種の情報を入力する入力装置であり、利用者はこの入力装置１２０を用いて、電話番号、文字などを入力する。
【００２７】
スピーカ１３０は、各種の音を出力するスピーカであり、例えば、通話相手の音声や、着信音などを出力する。復調器１３５は、電話帯域用に変調された音（通話相手の音声など）の情報を復調し、復調した音の情報をスピーカに出力する装置である。
【００２８】
マイク１４０は、各種の音を入力するマイクであり、例えば、利用者の音声や、携帯端末装置１００周辺の音を入力する際に用いられる。変調器１４５は、マイク１４０から入力された音の情報を、電話帯域用に変調する装置である。
【００２９】
入出力制御ＩＦ部１５０は、ディスプレイ１１０、入力装置１２０、スピーカ１３０およびマイク１４０による情報の入出力を制御する処理部であり、無線通信制御ＩＦ部１６０は、アンテナ５０を用いて、携帯電話の基地局との間における無線通信を制御する処理部である。
【００３０】
記憶部１７０は、制御部１８０による各種処理に必要な情報およびプログラムを記憶する記憶部であり、特に、本発明に密接に関連するものとしては、図２に示すように、アドレス情報１７１と、メール情報１７２と、操作履歴管理情報１７３と、発信先情報１７４と、置き忘れ連絡先情報１７５とを備える。
【００３１】
このうち、アドレス情報１７１は、連絡先（自宅、会社、友人、親戚宅など）の端末装置にかかる電話番号およびメールアドレスの情報である。また、メール情報１７２は、利用者によって作成されたメールの情報および外部から受信したメールの情報を示す。
【００３２】
操作履歴管理情報１７３は、入力装置１２０を用いて利用者が行った操作の履歴情報（操作履歴情報）を含んだ情報である。図３は、操作履歴管理情報１７３のデータ構造の一例を示す図である。同図に示すように、この操作履歴管理情報１７３は、一時記録領域１７３ａと、退避領域１７３ｂとを有する。操作履歴情報は、一旦、一時記録領域１７３ａに記録され、一時記録領域１７３ａに記録された操作履歴情報は、一定時間の周期毎に退避領域１７３ｂに退避される。
【００３３】
なお、一時記録領域１７３ａに記録された操作履歴情報を、退避領域１７３ｂに退避させる時点で、一時記録領域１７３ａに操作履歴情報が存在しない場合は、利用者が携帯端末装置１００を操作していないこととなる（利用者が携帯端末装置１００を置き忘れた可能性がある）。
【００３４】
発信先情報１７４は、携帯端末装置１００が置き忘れられた場合に、携帯端末装置１００の位置を検出するために電話発信を行う端末装置（固定電話など）の情報を示す（携帯端末装置１００の位置検出については後述する）。図４は、発信先情報１７４のデータ構造の一例を示す図である。同図に示すように、この発信先情報１７４は、識別情報、名称、電話番号、住所からなる。
【００３５】
置き忘れ連絡先情報１７５は、携帯端末装置１００を置き忘れた利用者に、携帯電話を置き忘れた旨の通知先として登録された端末装置の情報を示す。図５は、置き忘れ連絡先情報１７５のデータ構造の一例を示す図である。同図に示すように、この置き忘れ連絡先情報１７５は、識別情報、名称、電話番号、住所、メールアドレスからなる。
【００３６】
制御部１８０は、各種の処理手順を規定したプログラムや制御データを格納するための内部メモリを有し、これらによって種種の処理を実行する処理部である。特に、本発明に密接に関連するものとしては、図２に示すように、通話制御部１８１と、メール送受信制御部１８２と、操作履歴情報作成部１８３と、置き忘れ判定部１８４と、置き忘れ位置検出部１８５と、置き忘れ通知処理部１８６と、操作抑制部１８７を備える。
【００３７】
このうち、通話制御部１８１は、通話を制御する処理部であり、例えば、入力装置１２０から電話番号を取得した場合に、取得した電話番号に対応する端末装置（携帯電話あるいは固定電話機など）に発信し、通話を確立する。また、通話制御部１８１は、入力装置１２０から、アドレス情報１７１の表示要求を取得した場合には、記憶部１７０に記憶されたアドレス情報をディスプレイ１１０に表示させる。
【００３８】
更に、通話制御部１８１は、後述する置き忘れ判定部１８４によって、携帯端末装置１００が置き忘れられたと判定された後に、携帯端末装置１００宛の電話着信を受付けた場合には、受付けた電話着信を置き忘れ連絡先情報１７５（図５参照）に登録された端末装置に転送する。
【００３９】
メール送受信制御部１８２は、メールの送受信を制御する処理部である。このメール送受信制御装置１８２は、ユーザによってメールが作成された場合には、作成されたメールを一旦、メール情報１７２に記録し、宛先にメールを送信する。また、メール送受信制御部１８２は、外部からメールを受信した場合には、受信したメールを一旦、メール情報１７２に記録し、閲覧要求に応じて、メール情報１７２をディスプレイ１１０に表示させる。
【００４０】
更に、メール送受信制御部１８２は、後述する置き忘れ判定部１８４によって、携帯端末装置１００が置き忘れられたと判定された後に、携帯端末装置１００宛のメールを受信した場合には、受信したメールを置き忘れ連絡先情報１７５（図５参照）に登録された端末装置に転送する。
【００４１】
操作履歴情報作成部１８３は、入力装置１２０によって行われる利用者の操作を監視すると共に、利用者によって行われた操作の履歴情報である操作履歴情報を作成し、作成した操作履歴情報を図３に示した操作履歴管理情報１７３の一時記録領域１７３ａに記録する処理部である。
【００４２】
置き忘れ判定部１８４は、利用者によって携帯端末装置１００が置き忘れられたか否かを判定する処理部である。具体的に、この置き忘れ判定部１８４は、一定時間の周期毎に操作履歴管理情報１７３の一時記録領域１７３ａを参照し、一時記録領域１７３ａに操作履歴情報が存在しない場合に、利用者が携帯端末装置１００を置き忘れていると判定する。そして、この場合、置き忘れ判定部１８４は、利用者が携帯端末装置１００を置き忘れた旨の情報（以下、置き忘れ判定情報と表記する）を通話制御部１８１と、メール送受信制御部１８２と、置き忘れ位置検出部１８５、置き忘れ通知処理部１８６と、操作抑制部１８７に出力する。
【００４３】
一方、一時記録領域１７３ａに操作履歴情報が存在する場合には、置き忘れ判定部１８４は、利用者が携帯端末装置１００を置き忘れていないと判定する。そして、置き忘れ判定部１８４は、一時記録領域１７３ａに記録された操作履歴情報を退避領域１７３ｂに退避させる。
【００４４】
なお、置き忘れ判定部１８４は、置き忘れの判定を実行する時点で、（図示しない）電源ユニットにアクセスし、携帯端末装置１００が充電中である場合には、一時記録領域１７３ａに操作履歴情報が記録されているか否かに関わらず、利用者が携帯端末装置１００を置き忘れていないと判定する。すなわち、置き忘れ判定部１８４は、一時記録領域１７３ａを参照した際に、操作履歴情報が一時記録領域１７３ａに存在しない場合であっても、携帯端末装置１００が充電中の場合には、置き忘れではないと判定する。
【００４５】
置き忘れ位置検出部１８５は、置き忘れ判定部１８４から置き忘れ判定情報を取得した場合に、携帯端末装置１００の位置を検出する処理部である。具体的に、この置き忘れ位置検出部１８５は、置き忘れ判定情報を取得した場合に、マイク１４０をオンにし、発信先情報１７４を参照して順次電話発信を行う。図４に示す例では、自宅、会社、親戚宅・・・の順に電話発信を行う。
【００４６】
そして、置き忘れ位置検出部１８５は、マイク１４０から入力される音に着信音が含まれるか否かを判定し、マイク１４０から入力される音に着信音が含まれていると判定した場合に、電話発信先の固定電話の位置を、携帯端末装置１００の位置として検出する。例えば、自宅の固定電話に電話発信を行っている最中に、マイク１４０から入力される音に着信音が含まれている場合には、携帯端末装置１００の位置を、自宅（あるいは自宅の住所）として検出する。そして、置き忘れ位置検出部１８５は、検出した携帯端末装置１００の位置の情報（以下、位置情報と表記する）を置き忘れ通知処理部１８６に出力する。
【００４７】
置き忘れ通知処理部１８６は、置き忘れ判定情報と位置情報とを取得した場合に、置き忘れ連絡先情報１７５（図５参照）に登録された端末装置に置き忘れた旨を通知する。置き忘れ通知処理部１８６は、メールによって置き忘れた旨と位置情報とを通知してもよいし、電話発信を行って予め録音された音声によって、置き忘れや位置情報などを通知してもよい。
【００４８】
操作抑制部１８７は、置き忘れ判定部１８４から置き忘れ判定情報を取得した場合に、携帯端末装置１００に対する操作を抑制する処理部である。例えば、操作抑制部１８７は、置き忘れ判定情報を取得した後に、入力装置１２０を介して携帯端末装置１００に対する何らかの操作要求が入力された場合には、パスワードを要求する（パスワードは、この操作抑制部１８７が保持しているものとする）。
【００４９】
そして、入力装置１２０から入力されるパスワードが正しくない場合（操作抑制部１８７が保持するパスワードと一致しない場合）には、「操作を禁止します」などの文字をディスプレイ１１０に表示させと共に、入力装置１２０から入力される各種の情報を無効化にする。このように、入力装置１２０から入力される各種の情報を無効化することによって、携帯端末装置１００が第三者によって不正に使用されるといった問題を解消することができる。
【００５０】
一方、入力装置１２０から入力されるパスワードが正しい場合（操作抑制部１８７が保持するパスワードと一致する場合）には、入力装置１２０から入力される各種の情報を有効にし、通常通り、携帯端末装置１００による通話およびメールの送受信などを利用可能とする。
【００５１】
次に、本実施例１にかかる携帯端末装置１００の置き忘れ判定処理について説明する。図６は、本実施例１にかかる置き忘れ判定処理を示すフローチャートである。同図に示すように、携帯端末装置１００は、置き忘れ判定部１８４が、一定時間経過後に一時記録領域１７３ａに操作履歴情報が記録されているか否かを判定し（ステップＳ１０１）、記録されている場合には（ステップＳ１０２，Ｙｅｓ）、一時記録領域１７３ａに記録された操作履歴情報を退避領域１７３ｂに退避させ（ステップＳ１０３）、ステップＳ１０１に移行する。
【００５２】
一方、一時記録領域１７３ａに操作履歴情報が記録されていない場合には（ステップＳ１０２，Ｎｏ）、置き忘れ判定部１８４は、電源ユニットにアクセスして充電中か否かを判定し（ステップＳ１０４）、充電中である場合には（ステップＳ１０５，Ｙｅｓ）、ステップＳ１０１に移行する。
【００５３】
一方、充電中でない場合には（ステップＳ１０５，Ｎｏ）、置き忘れ位置検出部１８５が、マイク１４０をオンにし（ステップＳ１０６）、発信先情報１７４に登録された電話機に発信し（ステップＳ１０７）、マイク１４０から携帯端末装置１００周辺の音の情報を取得する（ステップＳ１０８）。
【００５４】
そして、置き忘れ位置検出部１８５は、取得した周辺の音の情報に着信音が含まれるか否かを判定し（ステップＳ１０９）、着信音が含まれる場合には（ステップＳ１１０，Ｙｅｓ）、電話発信先の電話機の位置を、携帯端末装置１００の位置として検出し（ステップＳ１１１）、置き忘れ通知処理部１８６が、置き忘れ連絡先情報１７５に登録された端末装置に置き忘れた旨の情報および位置情報を送信する（ステップＳ１１２）。
【００５５】
一方、ステップＳ１１１において、周辺の音の情報に着信音が含まれていない場合には（ステップＳ１１０，Ｎｏ）、置き忘れた旨の情報を、置き忘れ連絡先情報１７５に登録された端末装置に送信する（ステップＳ１１３）。
【００５６】
このように、置き忘れ判定部１８４は、操作履歴管理情報１７３の一時記録領域１７３ａに操作履歴情報が記録されているか否かを基にして、ユーザが携帯端末装置１００を置き忘れているか否かを判定するので、容易に一般的な携帯端末装置に適用することができる。
【００５７】
上述してきたように、本実施例１にかかる携帯端末装置１００は、置き忘れ判定部１８４が、一定時間の周期毎に操作履歴管理情報１７３をチェックし、一時記録領域１７３ａに操作履歴情報が記録されておらず、かつ携帯端末装置１００が充電中ではない場合に、携帯端末装置１００が置き忘れられたと判定し、置き忘れ通知処理部１８６が、置き忘れ連絡先情報１７５に登録された連絡先の端末装置に置き忘れた旨の情報を送信するので、利用者は、従来技術のように、携帯端末装置と対になる通信機器あるいは無線ＩＣタグを常時付帯しなくても、携帯端末装置１００の置き忘れに気づくことができ、携帯端末装置にかかる使い勝手の悪さを改善することができる。
【００５８】
また、本実施例１にかかる携帯端末装置１００は、置き忘れ判定部１８４が、携帯端末装置１００が置き忘れられたと判定した際に、置き忘れ位置検出部１８５が、発信先情報１７４に登録された端末装置に電話発信し、その際、マイク１４０から入力される音に着信音が含まれるか否かを判定することによって、置き忘れられた携帯端末装置１００の位置を検出するので、ＧＰＳ機能を携帯端末装置１００が備えていなくとも、携帯端末装置１００の置き忘れられた位置を利用者に通知することができる。
【００５９】
また、本実施例１にかかる携帯端末装置１００は、置き忘れ判定部１８４が、携帯端末装置１００が置き忘れられたと判定した際に、通信制御部１８１およびメール送受信制御部１８２が、携帯端末装置１００宛の電話着信およびメールを受付けた場合に、受付けた電話着信およびメールを置き忘れ連絡先情報１７５に登録された端末装置に転送するので、携帯電話置き忘れ時における利用者の不便性を軽減させることができる。
【００６０】
また、本実施例１にかかる携帯端末装置１００は、置き忘れ判定部１８４が、携帯端末装置１００が置き忘れられたと判定した場合に、操作抑制部１８７が、携帯端末装置１００に対する操作を抑制するので、悪意のある第三者によって携帯端末装置１００が不正に使用されることを防止することができる。
【００６１】
なお、本実施例１では説明を省略したが、置き忘れ位置検出部１８５が、携帯端末装置１００の位置を検出できなかった場合には、置き忘れ通知処理部１８６は、マイク１４０から携帯端末装置１００周辺の音の情報を取得し、置き忘れ連絡先情報１７５に登録された端末装置に送信してもよい。携帯端末装置１００周辺の音が利用者の聞き覚えのある音であれば、利用者は、携帯端末装置１００の位置を特定することができる。
【００６２】
また、置き忘れ位置検出部１８５は、携帯電話の基地局と通信し、通信対象となった基地局の通話エリア（あるいは、基地局の位置周辺）を携帯端末装置１００の位置として検出してもよい。
【実施例２】
【００６３】
次に、本実施例２にかかる携帯端末装置の概要について説明する。上述した実施例１にかかる携帯端末装置１００は、操作履歴情報および充電を行っているか否かを基にして、置き忘れを判定していたが、本実施例２にかかる携帯端末装置は、さらに、携帯端末装置の状態（移動状態／静止状態）を基にして、置き忘れを判定することで、置き忘れの判定精度を向上させる。
【００６４】
続いて、本実施例２にかかる携帯端末装置の構成について説明する。図７は、本実施例２にかかる携帯端末装置の構成を示す機能ブロック図である。同図に示すように、この携帯端末装置２００は、ディスプレイ１１０と、入力装置１２０と、スピーカ１３０と、復調器１３５と、マイク１４０と、変調器１４５と、入出力制御ＩＦ部１５０と、無線通信制御ＩＦ部１６０と、記憶部１７０と、状態検出部２１０と、制御部２２０とを備えて構成される。
【００６５】
このうち、ディスプレイ１１０、入力装置１２０、スピーカ１３０、復調器１３５、マイク１４０、変調器１４５、入出力制御ＩＦ部１５０、無線通信制御ＩＦ部１６０、記憶部１７０は、図２において示した各構成要素の説明と同様であるため、同一の符号を付して説明を省略する。
【００６６】
状態検出部２１０は、携帯端末装置２００の状態（移動状態あるいは静止状態であるか）を検出する処理部である。状態検出部２１０は、ＧＰＳ機能を利用して、携帯端末装置２００の状態を検出してもよいし、基地局と通信を行って、携帯端末装置２００の状態を検出してもよい（例えば、通信対象となる基地局が絶えず切り替わっている場合には、移動状態であると検出でき、通信対象となる基地局が所定時間たっても切り替わらない場合には、静止状態であると検出できる）。そして、状態検出部２１０は、検出した状態の情報（以下、状態情報と表記する）を制御部２２０の置き忘れ判定部２２０ａに出力する。
【００６７】
制御部２２０は、各種の処理手順を規定したプログラムや制御データを格納するための内部メモリを有し、これらによって種種の処理を実行する処理部である。特に、本発明に密接に関連するものとしては、図７に示すように、通話制御部１８１と、メール送受信制御部１８２と、操作履歴情報作成部１８３と、置き忘れ判定部２２０ａと、置き忘れ位置検出部１８５と、置き忘れ通知処理部１８６と、操作抑制部１８７を備える。
【００６８】
このうち、通話制御部１８１、メール送受信制御部１８２、操作履歴情報作成部１８３、置き忘れ位置検出部１８５、置き忘れ通知処理部１８６、操作抑制部１８７は、図２において示した各構成要素の説明と同様であるため、同一の符号を付して説明を省略する。
【００６９】
置き忘れ判定部２２０ａは、利用者によって携帯端末装置２００が置き忘れられたか否かを判定する処理部である。具体的に、この置き忘れ判定部２２０ａは、一定時間の周期毎に操作履歴管理情報１７３の一時記録領域１７３ａを参照し、一時記録領域１７３ａに操作履歴情報が存在せず、携帯端末装置２００が充電中でなく、かつ携帯端末装置２００が静止状態である場合に、利用者が携帯端末装置２００を置き忘れていると判定する。そして、この場合、置き忘れ判定部２２０ａは、利用者が携帯端末装置２００を置き忘れた旨の情報（置き忘れ判定情報）を通話制御部１８１と、メール送受信制御部１８２と、置き忘れ位置検出部１８５、置き忘れ通知処理部１８６と、操作抑制部１８７に出力する。
【００７０】
一方、一時記録領域１７３ａに操作履歴情報が存在する場合、携帯端末装置２００が充電中である場合、あるいは携帯端末装置２００が移動状態である場合には、置き忘れ判定部２２０ａは、利用者が携帯端末装置２００を置き忘れていないと判定する。そして、置き忘れ判定部１８４は、一時記録領域１７３ａに記録された操作履歴情報を退避領域１７３ｂに退避させる。
【００７１】
次に、本実施例２にかかる携帯端末装置２００の置き忘れ判定処理について説明する。図８は、本実施例２にかかる置き忘れ処理を示すフローチャートである。同図に示すように、携帯端末装置２００は、置き忘れ判定部２２０ａが、一定時間経過後に一時記録領域１７３ａに操作履歴情報が記録されているか否かを判定し（ステップＳ２０１）、操作履歴情報が一時記録領域１７３ａに記録されている場合には（ステップＳ２０２，Ｙｅｓ）、一時記録領域１７３ａに記録された操作履歴情報を退避領域１７３ｂに退避させ（ステップＳ２０３）、ステップＳ２０１に移行する。
【００７２】
一方、一時記録領域１７３ａに操作履歴情報が記録されていない場合には（ステップＳ２０２，Ｎｏ）、置き忘れ判定部２２０ａは、電源ユニットにアクセスして、携帯端末装置２００が充電中か否かを判定し（ステップＳ２０４）、充電中である場合には（ステップＳ２０５，Ｙｅｓ）、ステップＳ２０１に移行する。
【００７３】
一方、携帯端末装置２００が充電中でない場合には（ステップＳ２０５，Ｎｏ）、置き忘れ判定部２２０ａは、状態検出部２１０から状態情報を取得して、携帯端末装置２００が移動中か否かを判定し（ステップＳ２０６）、携帯端末装置２００が移動中である場合には（ステップＳ２０７，Ｙｅｓ）、ステップＳ２０１に移行する。
【００７４】
携帯端末装置２００が静止状態である場合には（ステップＳ２０７，Ｎｏ）、置き忘れ位置検出部１８５が、マイク１４０をオンにし（ステップＳ２０８）、発信先情報１７４に登録された電話機に発信し（ステップＳ２０９）、マイク１４０から携帯端末装置２００周辺の音の情報を取得する（ステップＳ２１０）。
【００７５】
そして、置き忘れ位置検出部１８５は、取得した周辺の音の情報に着信音が含まれるか否かを判定し（ステップＳ２１１）、着信音が含まれる場合には（ステップＳ２１２，Ｙｅｓ）、電話発信先の電話機の位置を、携帯端末装置２００の位置として検出し（ステップＳ２１３）、置き忘れ通知処理部１８６が、置き忘れ連絡先情報１７５に登録された端末装置に置き忘れた旨の情報および位置情報を送信する（ステップＳ２１４）。
【００７６】
一方、ステップＳ２１２において、周辺の音の情報に着信音が含まれていない場合には（ステップＳ２１２，Ｎｏ）、置き忘れた旨の情報を、置き忘れ連絡先情報１７５に登録された端末装置に送信する（ステップＳ２１５）。
【００７７】
このように、置き忘れ判定部２２０ａは、操作履歴情報の他に、携帯端末装置２００の状態を更に考慮して、携帯端末装置２００の置き忘れを判定するので、置き忘れの判定精度を向上させることができる。
【００７８】
上述してきたように、本実施例２にかかる携帯端末装置２００は、置き忘れ判定部２２０ａが、一定時間の周期毎に操作履歴管理情報１７３をチェックし、一時記録領域１７３ａに操作履歴情報が記録されておらず、携帯端末装置２００が充電中でなく、かつ携帯端末装置２００が静止状態である場合に、携帯端末装置２００が置き忘れられたと判定し、置き忘れ通知処理部１８６が、置き忘れ連絡先情報１７５に登録された連絡先の端末装置に置き忘れた旨の情報を送信するので、携帯端末装置２００は精度よく、置き忘れであることを判定可能となる。
【００７９】
（付記１）置き忘れを通知する置き忘れ通知装置であって、
自装置に対する操作の履歴を操作履歴情報として記録する操作履歴情報記録手段と、
前記操作履歴情報記録手段から、所定時間ごとに前記操作履歴情報を取得し、当該操作履歴情報が更新されているか否かを判定する更新有無判定手段と、
前記更新有無判定手段によって、前記操作履歴情報が更新されていないと判定された場合に、利用者の連絡先となる端末装置に置き忘れた旨の情報を通知する置き忘れ通知手段と、
を備えたことを特徴とする置き忘れ通知装置。
【００８０】
（付記２）前記更新有無判定手段によって、前記操作履歴情報が更新されていないと判定された場合に、登録先の端末装置に電話発信を行う発信手段と、前記発信手段によって電話発信が行われた場合に、自装置周辺の音を取得し、当該自装置周辺の音に前記端末装置の着信音が含まれるか否かを判定する着信音判定手段とを更に備え、前記置き忘れ通知手段は、前記着信音判定手段によって、前記端末装置の着信音が含まれると判定された場合に、当該端末装置の位置を自装置が置き忘れられた位置として、利用者の連絡先となる端末装置に通知することを特徴とする付記１に記載の置き忘れ通知装置。
【００８１】
（付記３）前記更新有無判定手段によって、前記操作履歴情報が更新されていないと判定された後に、自装置に送信された情報を、登録先の端末装置に転送する転送手段を更に備えたことを特徴とする付記１または２に記載の置き忘れ通知装置。
【００８２】
（付記４）前記更新有無判定手段によって、前記操作履歴情報が更新されていいないと判定された場合に、自装置に対する操作を抑制する操作抑制手段を更に備えたことを特徴とする付記１、２または３に記載の置き忘れ通知装置。
【００８３】
（付記５）前記更新有無判定手段によって、前記操作履歴情報が更新されていないと判定された場合に、自装置周辺の音を取得し、取得した音の情報を利用者の連絡先となる端末装置に出力する音情報出力手段を更に備えたことを特徴とする付記１〜４のいずれか一つに記載の置き忘れ通知装置。
【００８４】
（付記６）前記置き忘れ通知手段は、前記更新有無判定手段によって、前記操作履歴情報が更新されていないと判定され、かつ自装置が充電中ではない場合に、利用者の連絡先となる端末装置に置き忘れた旨の情報を通知することを特徴とする付記１〜５のいずれか一つに記載の置き忘れ通知装置。
【００８５】
（付記７）自装置が移動しているか否かを判定する移動判定手段を更に備え、前記置き忘れ通知手段は、前記更新有無判定手段によって、前記操作履歴情報が更新されていないと判定され、かつ前記移動判定手段によって自装置が移動していないと判定された場合に、利用者の連絡先となる端末装置に置き忘れた旨の情報を通知することを特徴とする付記１〜６のいずれか一つに記載の置き忘れ通知装置。
【００８６】
（付記８）携帯端末装置の置き忘れを通知する置き忘れ通知方法であって、
携帯端末装置に対する操作の履歴を操作履歴情報として記録装置に記録する操作履歴情報記録工程と、
前記記録装置から、所定時間ごとに前記操作履歴情報を取得し、当該操作履歴情報が更新されているか否かを判定する更新有無判定工程と、
前記更新有無判定工程によって、前記操作履歴情報が更新されていないと判定された場合に、利用者の連絡先となる端末装置に置き忘れた旨の情報を通知する置き忘れ通知工程と、
を含んだことを特徴とする置き忘れ通知方法。
【００８７】
（付記９）前記更新有無判定工程によって、前記操作履歴情報が更新されていないと判定された場合に、登録先の端末装置に電話発信を行う発信工程と、前記発信工程によって電話発信が行われた場合に、前記携帯端末装置周辺の音を取得し、取得した音に前記端末装置の着信音が含まれるか否かを判定する着信音判定工程とを更に備え、前記置き忘れ通知工程は、前記着信音判定工程によって、前記端末装置の着信音が含まれると判定された場合に、当該端末装置の位置を前記携帯端末装置が置き忘れられた位置として、利用者の連絡先となる端末装置に通知することを特徴とする付記８に記載の置き忘れ通知方法。
【００８８】
（付記１０）携帯端末装置の置き忘れを通知する置き忘れ通知プログラムであって、
携帯端末装置に対する操作の履歴を操作履歴情報として記録装置に記録する操作履歴情報記録手順と、
前記記録装置から、所定時間ごとに前記操作履歴情報を取得し、当該操作履歴情報が更新されているか否かを判定する更新有無判定手順と、
前記更新有無判定手順によって、前記操作履歴情報が更新されていないと判定された場合に、利用者の連絡先となる端末装置に置き忘れた旨の情報を通知する置き忘れ通知手順と、
をコンピュータに実行させることを特徴とする置き忘れ通知プログラム。
【産業上の利用可能性】
【００８９】
以上のように、本発明にかかる置き忘れ通知装置、置き忘れ通知方法および置き忘れ通知プログラムは、利用者が携帯する携帯端末装置に対して有用であり、特に、携帯端末装置の基本的な機能を使用して携帯端末装置の置き忘れを利用者に通知する場合に適している。
【図面の簡単な説明】
【００９０】
【図１】本発明の概要を説明するための説明図である。
【図２】本実施例１にかかる携帯端末装置の構成を示す機能ブロック図である。
【図３】操作履歴管理情報のデータ構造の一例を示す図である。
【図４】発信先情報のデータ構造の一例を示す図である。
【図５】置き忘れ連絡先情報のデータ構造の一例を示す図である。
【図６】本実施例１にかかる置き忘れ判定処理を示すフローチャートである。
【図７】本実施例２にかかる携帯端末装置の構成を示す機能ブロック図である。
【図８】本実施例２にかかる置き忘れ処理を示すフローチャートである。
【符号の説明】
【００９１】
１０    固定電話機
５０    アンテナ
１００    携帯端末装置
１１０    ディスプレイ
１２０    入力装置
１３０    スピーカ
１３５    復調器
１４０    マイク
１４５    変調器
１５０    入出力制御ＩＦ部
１６０    無線通信制御ＩＦ部
１７０    記憶部
１７１    アドレス情報
１７２    メール情報
１７３    操作履歴管理情報
１７３ａ  一時記録領域
１７３ｂ  退避領域
１７４    発信先情報
１７５    置き忘れ連絡先情報
１８０    制御部
１８１    通話制御部
１８２    メール送受信制御部
１８３    操作履歴情報作成部
１８４    置き忘れ判定部
１８５    置き忘れ位置検出部
１８６    置き忘れ通知処理部
１８７    操作抑制部
【図１】
0004667277.tif 000002
【図２】
0004667277.tif 000003
【図３】
0004667277.tif 000004
【図４】
0004667277.tif 000005
【図５】
0004667277.tif 000006
【図６】
0004667277.tif 000007
【図７】
0004667277.tif 000008
【図８】
0004667277.tif 000009